(57)【要約】  本発明は、インターネット網と公衆網間の呼制御を行う複数の呼制御手段と、前記インターネット網と公衆網間のユーザデータの回線接続及びメディア変換を行う複数の相互接続手段を有し、インターネット網と公衆網間の相互接続を行うメディアゲイトウェイ装置において、前記複数の相互接続手段の回線接続制御を行う特定の呼制御手段を設定し、前記特定の呼制御手段に前記複数の相互接続手段の回線接続制御を要求する前記特定の呼制御手段を除く複数の呼制御手段を有し、前記特定の呼制御手段は、前記公衆網のどの回線を前記複数の相互接続手段のどの相互接続手段が制御しているかを識別する管理データを記憶した管理データ記憶手段を有し、前記特定の呼制御手段を除く複数の呼制御手段それぞれは、前記特定の呼制御手段に前記複数の相互接続手段の回線接続制御を要求する制御要求手段を有する。
2009028094.tif 000002
【特許請求の範囲】
【請求項１】
インターネット網と公衆網間の呼制御を行う複数の呼制御手段と、前記インターネット網と公衆網間のユーザデータの回線接続及びメディア変換を行う複数の相互接続手段を有し、インターネット網と公衆網間の相互接続を行うメディアゲイトウェイ装置において、
前記複数の相互接続手段の回線接続制御を行う特定の呼制御手段を設定し、
前記特定の呼制御手段に前記複数の相互接続手段の回線接続制御を要求する前記特定の呼制御手段を除く複数の呼制御手段を有し、
前記特定の呼制御手段は、前記公衆網のどの回線を前記複数の相互接続手段のどの相互接続手段が制御しているかを識別する管理データを記憶した管理データ記憶手段を有し、
前記特定の呼制御手段を除く複数の呼制御手段それぞれは、前記特定の呼制御手段に前記複数の相互接続手段の回線接続制御を要求する制御要求手段を有する
ことを特徴とするメディアゲイトウェイ装置。
【請求項２】
インターネット網と公衆網間の呼制御を行う複数の呼制御手段と、前記インターネット網と公衆網間のユーザデータの回線接続及びメディア変換を行う複数の相互接続手段を有し、インターネット網と公衆網間の相互接続を行うメディアゲイトウェイ装置において、
前記複数の呼制御手段は、前記公衆網のどの回線を前記複数の相互接続手段のどの相互接続手段が制御しているかを識別する管理データを記憶した管理データ記憶手段と、
前記公衆網から接続を指示された回線を、どの呼制御手段が制御しているかを前記管理データ記憶手段から検索し、検索した呼制御手段に前記相互接続手段の回線接続制御を要求する制御要求手段を
有することを特徴とするメディアゲイトウェイ装置。
【請求項３】
インターネット網と公衆網間の呼制御を行う複数の呼制御手段と、前記インターネット網と公衆網間のユーザデータの回線接続及びメディア変換を行う複数の相互接続手段を有し、インターネット網と公衆網間の相互接続を行うメディアゲイトウェイ装置において、
前記公衆網のどの回線を前記複数の相互接続手段のどの相互接続手段が制御しているかを示す回線割付情報を記憶する回線割付情報記憶手段と、
前記公衆網からの回線接続を指示するメッセージを前記回線割付情報に基づいて呼制御手段に振り分ける振り分け手段を有し、
前記公衆網からの回線接続を指示するメッセージを前記振り分け手段から供給された呼制御手段で前記相互接続手段の回線接続制御を行う
ことを特徴とするメディアゲイトウェイ装置。
【請求項４】
請求項１乃至３のいずれか１項記載のメディアゲイトウェイ装置において、
前記複数の呼制御手段それぞれは、前記インターネット網からの発信処理を行う発側処理手段と、前記公衆網からの着信処理及び前記相互接続手段の回線制御を行う着側制御手段に分離された
ことを特徴とするメディアゲイトウェイ装置。
【請求項５】
請求項３記載のメディアゲイトウェイ装置において、
前記振り分け手段で前記公衆網からの回線接続を指示するメッセージを振り分けた呼制御手段が、前記メッセージの元となる前記インターネット網からのメッセージを最初に送信した呼制御手段と異なるとき、前記振り分け手段で前記公衆網からの回線接続を指示するメッセージを振り分けた呼制御手段の情報を変更先として記憶する変更先記憶手段を
有することを特徴とするメディアゲイトウェイ装置。
【請求項６】
請求項５記載のメディアゲイトウェイ装置において、
前記公衆網からの回線接続を指示するメッセージの発信元識別子と対応する呼制御手段を振り分けデータとして記憶した振り分けデータ記憶手段を有し、
前記振り分けデータ記憶手段を用いて、前記メッセージの元となる前記インターネット網からのメッセージを最初に送信した呼制御手段を検索する
ことを特徴とするメディアゲイトウェイ装置。
【請求項７】
請求項１又は２記載のメディアゲイトウェイ装置において、
前記公衆網からの回線接続を指示するメッセージの発信元識別子と対応する呼制御手段を振り分けデータとして記憶した振り分けデータ記憶手段と、
前記公衆網からの回線接続を指示するメッセージを前記回線割付情報に基づいて呼制御手段に振り分ける振り分け手段を有し、
前記振り分けデータ記憶手段を用いて検索した呼制御手段に前記メッセージの元となる前記インターネット網からのメッセージを送信する
ことを特徴とするメディアゲイトウェイ装置。
【発明の詳細な説明】
【技術分野】
【０００１】
本発明は、メディアゲイトウェイ装置に関し、インターネット網と公衆網間の相互接続を行うメディアゲイトウェイ装置に関する。
【背景技術】
【０００２】
ＡＴＭ網やＳＴＭ網等のＣＳ網（公衆網）とＩＰ（インターネット）網の間に配置されるメディアゲイトウェイ装置において、ＩＰ網から発信しＣＳ網で着信する方向の接続を行う場合、メディアゲイトウェイ装置とＣＳ網交換機間でユーザプレーン（Ｕ−Ｐｌａｎｅ）用に使用する回線選択を行う情報を交換する。【０００３】
その際、回線選択権がＣＳ網交換機側にある場合、メディアゲイトウェイ装置はＣＳ網交換機から指示された回線を使用してユーザプレーン回線接続を実施する。【０００４】
図１に回線選択のシーケンスを示す。同図中、メディアゲイトウェイ装置（ＭＧＷ）はＣＳ網交換機に対し接続要求メッセージ（ＩＡＭ）を送信する。【０００５】
これに対し、ＣＳ網交換機はメディアゲイトウェイ装置に対し、ＩＡＭへのＩＡＭ応答メッセージ（ＩＡＡ）を送信する。メディアゲイトウェイ装置はＩＡＡにより回線を指定されると、ユーザプレーンの指定された回線を選択しトラヒックを転送する。【０００６】
なお、特許文献１には、通信プロトコルとしてＩＰを使用する複数のＬＡＮとＡＴＭ通信システムの境界に設置されＩＰパケットとＡＴＭセルを交換するゲイトウェイ装置が記載されている。
【特許文献１】特開２０００−２５３０１８号公報
【発明の開示】
【発明が解決しようとする課題】
【０００７】
既存公衆網や移動通信網などの大規模トラヒックを扱う大規模ＣＳ網とＩＰ網との相互接続を行う場合に配置される網間接続のためのメディアゲイトウェイ装置には、高い処理性能が要求されメディアゲイトウェイ装置の処理能力増強のため、メディアゲイトウェイ装置内を複数のＭＧＣＦ（Ｍｅｄｉａ  Ｇａｔｅｗａｙ  Ｃｏｎｔｒｏｌ  Ｆｕｎｃｔｉｏｎ）で構成し、負荷分散することでメディアゲイトウェイ装置全体としての処理能力を確保する構成をとる必要がある。【０００８】
ＭＧＣＦの配置方法には、宛先方路毎に別々のＭＧＣＦを分けて配置したり、又は、同一方路であってもトラヒック量が大きい場合には複数のＭＧＣＦを割り当てて負荷分散させたり、あるいはそれらを組み合わせた配置を行うことによりメディアゲイトウェイ装置全体としての処理能力増強を図ることになる。また、耐障害性を考慮し、複数のＭＧＣＦを配置し危険分散する構成をとる場合もある。【０００９】
ユーザプレーン（Ｕ−Ｐｌａｎｅ）で使用する回線は、ＳＴＭ網−ＩＰ網間であればＩＳＵＰ（ＩＳＤＮ  Ｕｓｅｒ  Ｐａｒｔ）信号、ＡＴＭ−ＩＰ網間であればＢ−ＩＳＵＰ（Ｂｒｏａｄｂａｎｄ  ＩＳＤＮ  Ｕｓｅｒ  Ｐａｒｔ）などの共通線信号方式を用いてネゴシエーションされて選択される。【００１０】
しかし、前述のように装置内に複数のＭＧＣＦが配置された構成のメディアゲイトウェイ装置においては、回線選択権がＣＳ網側にある場合には、元々接続要求を行ったＭＧＣＦの制御下にある回線が選択されないケースが発生する。【００１１】
また、回線選択権が自身（メディアゲイトウェイ装置側）にある場合であったとしても、相手のＣＳ網との間の回線障害や、回線の輻輳、自身のリソース塞がり等に遭遇した場合には、迂回制御を行って他回線を選択しなおす必要がある。しかし、回線の使用状況によっては元々接続要求を行ったＭＧＣＦの制御下に迂回先回線の空きが無い場合が発生する。この場合、接続要求を行ったＭＧＣＦが制御可能な回線以外の回線をＣＳ網から選択するよう選択しなおすことにより、接続制御を継続する必要がある。【００１２】
従来のメディアゲイトウェイ装置においては、上記のように、接続要求を行ったＭＧＣＦが制御可能な回線以外の回線をＣＳ網から選択するよう要求されたり、相手のＣＳ網との回線障害や、回線の輻輳、自身のリソース塞がり等に遭遇した場合には、該当呼を呼損として扱うしかないという問題があった。【００１３】
本発明は、上記の点に鑑みなされたものであり、接続要求を行ったＭＧＣＦが制御可能な回線以外の回線をＣＳ網から選択するよう要求された場合の呼損の発生を抑圧できるメディアゲイトウェイ装置を提供することを総括的な目的とする。
【課題を解決するための手段】
【００１４】
この目的を達成するため、本発明のメディアゲイトウェイ装置は、インターネット網と公衆網間の呼制御を行う複数の呼制御手段と、前記インターネット網と公衆網間のユーザデータの回線接続及びメディア変換を行う複数の相互接続手段を有し、インターネット網と公衆網間の相互接続を行うメディアゲイトウェイ装置において、前記複数の相互接続手段の回線接続制御を行う特定の呼制御手段を設定し、前記特定の呼制御手段に前記複数の相互接続手段の回線接続制御を要求する前記特定の呼制御手段を除く複数の呼制御手段を有し、前記特定の呼制御手段は、前記公衆網のどの回線を前記複数の相互接続手段のどの相互接続手段が制御しているかを識別する管理データを記憶した管理データ記憶手段を有し、前記特定の呼制御手段を除く複数の呼制御手段それぞれは、前記特定の呼制御手段に前記複数の相互接続手段の回線接続制御を要求する制御要求手段を有する。
【発明の効果】
【００１５】
このようなメディアゲイトウェイ装置によれば、接続要求を行ったＭＧＣＦが制御可能な回線以外の回線をＣＳ網から選択するよう要求された場合の呼損の発生を抑圧できると共に、接続要求を行ったＭＧＣＦが回線の障害やリソース輻輳に遭遇した場合に自身が制御可能な回線以外の回線を選択する迂回制御を行うことにより呼損の発生を抑圧することができる。
【図面の簡単な説明】
【００１６】
【図１】メディアゲイトウェイ装置の回線選択のシーケンスを示す図である。
【図２】本発明のメディアゲイトウェイ装置の一実施形態の構成図である。
【図３】ＶＰＣＩとＶＸＳＭの関係を示す図である。
【図４】本発明のメディアゲイトウェイ装置の第１実施形態の動作説明図である。
【図５】振り分けデータとＭＧＣＦ管理データを説明するための図である。
【図６】本発明のメディアゲイトウェイ装置の第１実施形態の動作シーケンスである。
【図７】本発明のメディアゲイトウェイ装置の第２実施形態の動作説明図である。
【図８】振り分けデータとＭＧＣＦ管理データを説明するための図である。
【図９】本発明のメディアゲイトウェイ装置の第２実施形態の動作シーケンスである。
【図１０】本発明のメディアゲイトウェイ装置の第３実施形態の動作説明図である。
【図１１】変更先記憶データと回線割付情報を説明するための図である。
【図１２】本発明のメディアゲイトウェイ装置の第３実施形態の動作シーケンスである。
【図１３】発着分離モデルについて説明するための図である。
【図１４】発着分離モデルについて説明するための図である。
【図１５】本発明のメディアゲイトウェイ装置の第４実施形態の動作説明図である。
【図１６】本発明のメディアゲイトウェイ装置の第４実施形態の動作シーケンスである。
【符号の説明】
【００１７】
１０  メディアゲイトウェイ装置
１１  ＩＰ網
１２  ＣＳ網
１３  ＣＳ網交換機
２０  制御プレーン
２１，２３  振り分け部
２２−０〜２２−２  ＭＧＣＦ
２４  ＳＧＣＳ
３０  ユーザプレーン
３１−１，３１−２  ＭＧＸ
３２−１〜３２−ｎ  ＶＸＳＭ
３３  スイッチ
【発明を実施するための最良の形態】
【００１８】
以下、図面に基づいて本発明の実施形態について説明する。【００１９】
<メディアゲイトウェイ装置の構成>
図２は、本発明のメディアゲイトウェイ装置の一実施形態の構成図を示す。同図中、メディアゲイトウェイ装置１０は、ＩＰ網１１とＣＳ網１２との間の接続を行う。ＣＳ網１２にはＣＳ網交換機１３が設けられている。【００２０】
メディアゲイトウェイ装置１０は、制御プレーン（Ｃ−Ｐｌａｎｅあるいはシグナリングゲイトウェイ）２０と、ユーザプレーン（Ｕ−Ｐｌａｎｅあるいはメディアゲイトウェイ）３０とより構成されている。【００２１】
制御プレーン２０内において、振り分け部２１はＩＰ網１１からの信号を複数のＭＧＣＦ２２−０〜２２−２に分配する。この際に、振り分け部２１は例えばＩＰ網１１からの信号のＯＰＣ（Ｏｒｉｇｉｎａｔｉｏｎｇ  Ｐｏｉｎｔ  Ｃｏｄｅ）で指示される発信局をパラメータとしてＭＧＣＦを決定し振り分けを行う。また、この他に信号の到着順にラウンドロビン方式でＭＧＣＦを決定し振り分けを行う場合もある。【００２２】
ＭＧＣＦ（Ｍｅｄｉａ  Ｇａｔｅｗａｙ  Ｃｏｎｔｒｏｌ  Ｆｕｎｃｔｉｏｎ）２２−０〜２２−２それぞれは、ＩＰ網１１で用いる呼制御プロトコルであるＳＩＰ（Ｓｅｓｓｉｏｎ  Ｉｎｉｔｉａｔｉｏｎ  Ｐｒｏｔｏｃｏｌ）又はＭＥＧＡＣＯ（ＭＥｄｉａ  ＧＡｔｅｗａｙ  ＣＯｎｔｒｏｌ  Ｐｒｏｔｏｃｏｌ）と、ＣＳ網１２で用いる呼制御プロトコルであるＩＳＵＰ又はＢ−ＩＳＵＰと間の信号変換を行う。なお、ＭＧＣＦの数は「３」に限らず複数であれば良い。また、ＭＧＣＦ２２−０〜２２−２は、両網間の接続に使用する回線を選択し、メディア変換パターン等のユーザプレーン３０の制御条件をＣＳ網交換機１３との間でネゴシエーションして決定し、決定した制御条件に従ってユーザプレーン３０の複数のＭＧＸ（Ｍｅｄｉａ  Ｇａｔｅｗａｙ）に対して制御要求を行う。【００２３】
振り分け部２３はＣＳ網１２からの信号を複数のＭＧＣＦ２２−０〜２２−２に分配する。ＳＧＣＳ（Ｓｉｇｎａｌ  Ｇａｔｅｗａｙ  Ｃｏｎｔｒｏｌ  Ｓｅｒｖｅｒ）２４は、制御プレーン信号を中継する。【００２４】
ユーザプレーン３０内には、複数のＭＧＸ３１−１，３１−２が設けられている。ＭＧＸ３１−１，３１−２は、ＭＧＣＦ２２−０〜２２−２から要求される制御条件に従い、ユーザプレーンのトラヒックを指定された回線を使用し、指定されたメディア変換を実施して転送を行う。【００２５】
ＭＧＸ３１−１，３１−２には、複数のＶＸＳＭ（Ｖｏｉｃｅ  ｓｗｉｔｃｈ  Ｓｅｒｖｉｃｅ  Ｍｏｄｕｌｅ）３２−１〜３２−ｎとスイッチ３３が設けられている。各ＶＸＳＭは、ＩＰ網１１で用いるＩＰ（Ｉｎｔｅｒｎｅｔ  Ｐｒｏｔｏｃｏｌ）とＣＳ網１２で用いるＳＴＭ（Ｓｙｎｃｈｒｏｎｏｕｓ  Ｔｒａｎｓｆｅｒ  Ｍｏｄｅ）やＡＴＭ（Ａｓｙｎｃｈｒｏｎｏｕｓ  Ｔｒａｎｓｆｅｒ  Ｍｏｄｅ）との変換を行う。スイッチ３３は、各ＶＸＳＭとＣＳ網交換機１３との間で回線交換を行う。【００２６】
なお、以下の実施形態の説明では、図３に示すように、ＡＴＭ網のＯＣ３（Ｏｐｔｉｃａｌ  Ｃａｒｒｉｅｒ−３）にＶＰ（Ｖｉｒｔｕａｌ  Ｐａｔｈ）及びＶＣ（Ｖｉｒｔｕａｌ  Ｃｈａｎｎｅｌ）で表される回線が収容され、ＡＴＭ網と接続されるＯＣ３インタフェース上の回線のＶＰＣＩ（Ｖｉｒｔｕａｌ  Ｐａｔｈ  Ｃｏｎｎｅｃｔｉｏｎ  Ｉｄｅｎｔｉｆｉｅｒ）が決まると、そのＶＰＣＩを制御するＶＸＳＭが一意に決まるように、ＶＰＣＩとＶＸＳＭが括り付けられているものとする。【００２７】
<第１実施形態>
第１実施形態では、ユーザプレーン３０の全てのＭＧＸ３１−１〜３１−２の全てのＶＸＳＭ３２−１〜３２−ｎに対し制御要求を行うＭＧＣＦとして予め親ＭＧＣＦ（例えば２２−０）を決めておく。親ＭＧＣＦ以外の子ＭＧＣＦ２２−１，２２−２は、制御プレーン２０の制御と親ＭＧＣＦ２２−０に回線制御要求の要求を行う。【００２８】
図４は、本発明のメディアゲイトウェイ装置の第１実施形態の動作説明図を示す。【００２９】
ステップＳ１：ＩＰ網１１から発信しＣＳ網１２で着信するセッション開始メッセージ（ＩＮＶＩＴＥ）は、振り分け部２１にて例えばラウンドロビン方式で決められたＭＧＣＦ２２−１に振り分けられ、ここで接続要求メッセージ（ＩＡＭ）に変換され、ＳＧＣＳ２４宛に送信される。ここでは、振り分け部２１で子ＭＧＣＦ２２−１が最初に選択された例を示している。【００３０】
ステップＳ２：ＣＳ網１２から返信されるＩＡＭ応答メッセージ（ＩＡＡ）はＳＧＣＳ２４，振り分け部２３経由で、要求元の子ＭＧＣＦ２２−１にルーティングされる。なお、振り分け部２３ではＩＡＭ応答メッセージ（ＩＡＡ）の発信元ＩＤ（ＳＡＩＤ）からＭＧＣＦ番号を取り出し、取り出したＭＧＣＦ番号で図５（Ａ）に示す振り分けデータを参照して要求元の子ＭＧＣＦ２２−１のＩＰアドレスを特定する。振り分けデータは振り分けデータ記憶部２３ａに格納されている。【００３１】
ステップＳ３：ＩＡＭ応答メッセージ（ＩＡＡ）を受けた子ＭＧＣＦ２２−１はＩＡＭ応答メッセージから抽出された回線情報（ＯＰＣ，ＶＰＣＩ，ＶＣＩ（Ｖｉｒｔｕａｌ  Ｃｈａｎｎｅｌ  Ｉｄｅｎｔｉｆｉｅｒ））を読み出し、親ＭＧＣＦ２２−０に対して回線捕捉コマンド（Ａｄｄ）を送信して、回線制御要求を行う。この回線制御要求は子ＭＧＣＦ２２−１（２２−２）の制御要求機能２２ａが実行する。【００３２】
ステップＳ４：親ＭＧＣＦ２２−０は先のステップで要求された指示に従い、該当するＭＧＸ（例えば３１−２）のＶＸＳＭ（例えば３２−１）に回線捕捉コマンド（Ａｄｄ）を送信して、ＣＳ網１２側から指定された回線とＩＰ網１１側との接続制御を行う。なお、親ＭＧＣＦ２２−０は、管理データ記憶部２２ｂに図５（Ｂ）に示すＭＧＣＦ管理データを有しており、子ＭＧＣＦ２２−１からの回線制御要求に含まれるＶＰＣＩでＭＧＣＦ管理データを参照してＶＰＣＩテーブルを得る。得られたＶＰＣＩテーブルのＶＸＳＭ番号がＣＳ網１２側から指定された回線に対応するＶＸＳＭである。【００３３】
図６は、本発明のメディアゲイトウェイ装置の第１実施形態の動作シーケンスを示す。同図中、ステップ番号は図４と対応している。図６ではステップＳ４の接続制御後、ステップＳ５でＣＳ網１２から子ＭＧＣＦ２２−１にアドレス完了メッセージ（ＡＣＭ）を送信し、ステップＳ６で呼経過メッセージ（ＣＰＧ）を出した後でリングバックトーン（ＲＢＴ）を送信する。【００３４】
ステップＳ７でＩＰ網１１から子ＭＧＣＦ２２−１にセッション終了要求メッセージ（ＢＹＥ）が送信されると、ステップＳ８で子ＭＧＣＦ２２−１は親ＭＧＣＦ２２−０を経由して当該ＭＧＸ３１−２の当該ＶＸＳＭ３２−１にパス切断コマンド（Ｓｕｂｔｒｕｃｔ）を送信してパス切断を行うと共に、ＣＳ網１２に解放メッセージ（ＲＥＬ）を送信し、ＩＰ網１１にリクエスト成功（２００  ＯＫ）を送信する。【００３５】
このように、接続要求を行ったＭＧＣＦが制御可能な回線以外の回線をＣＳ網から選択するよう要求されたとしても、接続要求を行った子ＭＧＣＦ２２−１からの要求により親ＭＧＣＦ２２−０がＣＳ網から選択を要求された回線の接続制御を行うため、呼損の発生を抑圧することができる。【００３６】
<第２実施形態>
第２実施形態では、全てのＭＧＣＦ２２−０〜２２−２に同一のＭＧＣＦ管理データを保持する。ＭＧＣＦ管理データには、どのＣＳ網側回線をどのＭＧＣＦが制御しているかを識別するデータを保持しておき、各ＭＧＣＦはＭＧＣＦ管理データを基にＩＡＭ応答メッセージ（ＩＡＡ）で返信された回線の制御を行っているＭＧＣＦを特定し、そのＭＧＣＦに対して回線制御要求を行う。【００３７】
図７は、本発明のメディアゲイトウェイ装置の第２実施形態の動作説明図を示す。【００３８】
ステップＳ１１：ＩＰ網１１から発信しＣＳ網１２で着信するセッション開始メッセージ（ＩＮＶＩＴＥ）は、振り分け部２１にて例えば上記メッセージ内の発信局（ＯＰＣ）基づいて決められたＭＧＣＦ２２−０に振り分けられ、ここで接続要求メッセージ（ＩＡＭ）に変換され、ＳＧＣＳ２４宛に送信される。ここでは、ＭＧＣＦ２２−０が選択された例を示している。【００３９】
ステップＳ１２：ＣＳ網１２から返信されるＩＡＭ応答メッセージ（ＩＡＡ）はＳＧＣＳ２４，振り分け部２３経由で、要求元のＭＧＣＦ２２−０にルーティングされる。なお、振り分け部２３ではＩＡＭ応答メッセージ（ＩＡＡ）の発信元ＩＤ（ＳＡＩＤ）からＭＧＣＦ番号を取り出し、取り出したＭＧＣＦ番号で図８（Ａ）に示す振り分けデータを参照して要求元のＭＧＣＦ２２−１のＩＰアドレスを特定する。振り分けデータは振り分けデータ記憶部２３ａに格納されている。【００４０】
ステップＳ１３：ＩＡＭ応答メッセージ（ＩＡＡ）を受けたＭＧＣＦ２２−０は自身が保持するＭＧＣＦ管理データを参照し、どのＭＧＣＦが選択された回線を制御しているか特定する。【００４１】
なお、全てのＭＧＣＦ２２−０〜２２−２は、管理データ記憶部２２ｂに図８（Ｂ）に示すＭＧＣＦ管理データを有しており、ＭＧＣＦ２２−０はＩＡＭ応答メッセージに含まれる発信局（ＯＰＣ）からＴＧＮ（同一対地／ルートの回線（トランク）群に与える番号）を得て、このＴＧＮに対応するＶＸＳＭ番号とＶＰＣＩを得る。このＶＰＣＩから得られるＭＧＣＦ番号（及びそのＭＧＣＦのＩＰアドレス）が実際に制御要求を行うＭＧＣＦを指定している。また、上記ＶＸＳＭ番号がＣＳ網１２側から指定された回線に対応するＶＸＳＭである。【００４２】
ステップＳ１４：先のステップＳ１３で特定したＭＧＣＦ（例えば２２−１）に対して回線捕捉コマンド（Ａｄｄ）を送信して、回線制御要求を行う。この回線制御要求は各ＭＧＣＦ２２−０〜２２−２の制御要求機能２２ａが実行する。【００４３】
ステップＳ１５：上記の回線制御要求を受けたＭＧＣＦ２２−１は指示に従い、該当するＭＧＸ（例えば３１−２）のＶＸＳＭ（例えば３２−１）に回線捕捉コマンド（Ａｄｄ）を送信して、ＣＳ網１２側から指定された回線とＩＰ網１１側との接続制御を行う。【００４４】
図９は、本発明のメディアゲイトウェイ装置の第２実施形態の動作シーケンスを示す。同図中、ステップ番号は図７と対応している。図９ではステップＳ１５の接続制御後、ステップＳ１６でＣＳ網１２からＭＧＣＦ２２−０にアドレス完了メッセージ（ＡＣＭ）を送信し、ステップＳ１７で呼経過メッセージ（ＣＰＧ）を出した後でリングバックトーン（ＲＢＴ）を送信する。【００４５】
ステップＳ１８でＩＰ網１１からＭＧＣＦ２２−０にセッション終了要求メッセージ（ＢＹＥ）が送信されると、ステップＳ１９でＭＧＣＦ２２−０はＭＧＣＦ２２−１を経由して当該ＭＧＸ３１−２の当該ＶＸＳＭ３２−１にパス切断コマンド（Ｓｕｂｔｒｕｃｔ）を送信してパス切断を行うと共に、ＣＳ網１２に解放メッセージ（ＲＥＬ）を送信し、ＩＰ網１１にリクエスト成功（２００  ＯＫ）を送信する。【００４６】
このように、接続要求を行ったＭＧＣＦが制御可能な回線以外の回線をＣＳ網から選択するよう要求されたとしても、接続要求を行ったＭＧＣＦはＣＳ網から選択を要求された回線を制御可能な別のＭＧＣＦに接続要求を行うため、呼損の発生を抑圧することができる。【００４７】
<第３実施形態>
第３実施形態では、振り分け部２３がＣＳ網１２から指定された回線を制御するＭＧＣＦにＩＡＭ応答メッセージ（ＩＡＡ）を返送する。【００４８】
図１０は、本発明のメディアゲイトウェイ装置の第３実施形態の動作説明図を示す。【００４９】
ステップＳ２１：ＩＰ網１１から発信しＣＳ網１２で着信するセッション開始メッセージ（ＩＮＶＩＴＥ）は、振り分け部２１にて例えば上記メッセージ内の発信局（ＯＰＣ）基づいて決められたＭＧＣＦ２２−０に振り分けられ、ここで接続要求メッセージ（ＩＡＭ）に変換され、ＳＧＣＳ２４宛に送信される。ここでは、ＭＧＣＦ２２−０が選択された例を示している。【００５０】
ステップＳ２２：ＣＳ網１２から返信されるＩＡＭ応答メッセージ（ＩＡＡ）はＳＧＣＳ２４を経由して振り分け部２３に受信される。【００５１】
ステップＳ２３：振り分け部２３は、ＩＡＭ応答メッセージ（ＩＡＡ）を分析して回線情報（ＯＰＣ，ＶＰＣＩ，ＶＣＩ）を読み出し、ＯＰＣとＶＣＩを用いて回線割付情報記憶部２３ｂに記憶されている図１１（Ｂ）に示す回線割付情報を参照して、その回線を制御するＭＧＣＦ番号（例えば２２−１）を特定する。なお、図１１（Ｂ）に示す回線割付情報は、図８（Ｂ）に示すＭＧＣＦ管理データに対応するものである。【００５２】
ステップＳ２４：振り分け部２３はＩＡＭ応答メッセージ（ＩＡＡ）内の発信元ＩＤ（ＳＡＩＤ：発信元識別子）からＭＧＣＦ番号を取り出し、取り出したＭＧＣＦ番号で図８（Ａ）に示す振り分けデータを参照して最初に接続要求メッセージ（ＩＡＭ）を送信してきたＭＧＣＦ２２−０を特定し、ＩＡＭ送信時の制御情報（ＩＡＭ情報）を取得する。振り分けデータは振り分けデータ記憶部２３ａに格納されている。【００５３】
ステップＳ２５：振り分け部２３は、先のステップＳ２３で特定した選択された回線を制御するＭＧＣＦ２２−１に対して、先のステップＳ２４で取得したＩＡＭ情報と供に、先のステップＳ２２で受信したＩＡＭ応答メッセージ（ＩＡＡ）を転送する。【００５４】
ステップＳ２６：このとき、ステップＳ２３で特定した選択された回線を制御するＭＧＣＦ２２−１とステップＳ２４で特定した最初に接続要求メッセージを送信してきたＭＧＣＦ２２−０が異なるため、振り分け部２３は振り分け先のＭＧＣＦをＭＧＣＦ２２−０からＭＧＣＦ２２−１に変更したことを記憶する。これは変更先記憶部２３ｃに格納される図１１（Ａ）に示す変更先記憶データに、発信元ＩＤ（ＳＡＩＤ）に対応させて変更先のＭＧＣＦ番号を記憶することで行う。【００５５】
ステップＳ２７：ＭＧＣＦ２２−１は、ステップＳ２５で受信したＩＡＭ応答メッセージ（ＩＡＡ）とＩＡＭ情報に従い、該当するＭＧＸ（例えば３１−２）のＶＸＳＭ（例えば３２−１）に回線捕捉コマンド（Ａｄｄ）を送信して、ＣＳ網１２側から指定された回線とＩＰ網１１側との接続制御を行う。【００５６】
なお、全てのＭＧＣＦ２２−０〜２２−２は図８（Ｂ）に示すＭＧＣＦ管理データを有しており、ＭＧＣＦ２２−０はＩＡＭ応答メッセージに含まれる発信局（ＯＰＣ）からＴＧＮ（同一対地／ルートの回線（トランク）群に与える番号）を得て、このＴＧＮに対応するＶＸＳＭ番号とＶＰＣＩを得る。このＶＰＣＩから得られるＭＧＣＦ番号（及びそのＭＧＣＦのＩＰアドレス）が実際に制御要求を行うＭＧＣＦを指定している。また、上記ＶＸＳＭ番号がＣＳ網１２側から指定された回線に対応するＶＸＳＭである。【００５７】
上記のステップＳ２７以降、ＩＰ網１１とＣＳ網１２間の制御プレーン２０における信号は、ＩＰ網１１，振り分け部２１，ＭＧＣＦ２２−１，振り分け部２３，ＣＳ網１２の経路若しくはその逆の経路で転送される。【００５８】
ステップＳ２８：呼終了時にはステップＳ２６で変更先記憶データに記憶した当該変更先のＭＧＣＦ番号を消去する。【００５９】
図１２は、本発明のメディアゲイトウェイ装置の第３実施形態の動作シーケンスを示す。同図中、ステップ番号は図１０と対応している。図１２ではステップＳ２７の接続制御後、ステップＳ３０でＣＳ網１２からＭＧＣＦ２２−１にアドレス完了メッセージ（ＡＣＭ）を送信し、ステップＳ３１で呼経過メッセージ（ＣＰＧ）を出した後でリングバックトーン（ＲＢＴ）を送信する。【００６０】
ステップＳ３２でＩＰ網１１からＭＧＣＦ２２−１にセッション終了要求メッセージ（ＢＹＥ）が送信されると、ステップＳ３３でＭＧＣＦ２２−１は当該ＭＧＸ３１−２の当該ＶＸＳＭ３２−１にパス切断コマンド（Ｓｕｂｔｒｕｃｔ）を送信してパス切断を行うと共に、ＣＳ網１２に解放メッセージ（ＲＥＬ）を送信し、ＩＰ網１１にリクエスト成功（２００  ＯＫ）を送信する。また、ＭＧＣＦ２２−１はステップＳ２８で振り分け部２３に解放メッセージ（ＲＥＬ）を送信し、変更先記憶データに記憶した変更先のＭＧＣＦ番号を消去する。【００６１】
このように、接続要求を行ったＭＧＣＦが制御可能な回線以外の回線をＣＳ網から選択するよう要求されたとしても、振り分け部２３はＣＳ網から選択を要求された回線を制御可能な別のＭＧＣＦに接続要求を行うため、呼損の発生を抑圧することができる。【００６２】
<第４実施形態>
第４実施形態では、第２実施形態の制御に発着分離モデルを適用する。つまり、全てのＭＧＣＦ２２−０〜２２−２に同一のＭＧＣＦ管理データを保持し、ＭＧＣＦ管理データには、どのＣＳ網側回線をどのＭＧＣＦが制御しているかを識別するデータを保持しておき、各ＭＧＣＦは発着分離モデルを適用して、ＭＧＣＦ管理データを基にＩＡＭ応答メッセージ（ＩＡＡ）で返信された回線の制御を行っているＭＧＣＦを特定し、そのＭＧＣＦに対して回線制御要求を行う。【００６３】
発着分離モデルについて説明する。通常のＭＧＣＦ４０は、図１３（Ａ）に示すように、ＩＰ網側の信号制御機能を担当するオブジェクトであるＳＩＧ、ＣＳ網側のＩＳＵＰ、呼接続制御シナリオ機能を担当するオブジェクトであるシナリオ、回線制御、バス制御、ＭＧ制御の各機能から構成されている。【００６４】
これに対して、発着分離モデルのＭＧＣＦは、図１３（Ｂ）に示すように、ＣＳ網側のＩＳＵＰ、ＣＳ網側シナリオ、回線制御、バス制御、ＭＧ制御の各機能から構成されＶＸＳＭの回線制御を行うＭＧＣＦ４１と、ＩＰ網側の信号制御機能を担当するオブジェクトであるＳＩＧ、ＩＰ網側シナリオ、回線制御、バス制御の各機能から構成されるＭＧＣＦ４２とに分離される。ＣＳ網側発信−ＩＰ網側着信方向の接続の場合はＭＧＣＦ４１が発信処理、ＭＧＣＦ４２が着信処理を行い、ＩＰ網側発信−ＣＳ網側着信方向の接続の場合はＭＧＣＦ４２が発信処理、ＭＧＣＦ４１が着信処理を行う組合せとなる。【００６５】
なお、ＭＧ制御は着信処理を行うＭＧＣＦ側に配置する機能であり、図１３（Ｂ）はＩＰ網発信−ＣＳ網着信方向の接続の場合を例に機能を配置した例であるため、ＭＧ制御は着信制御を行うＭＧＣＦ４１側に配置しているが、ＣＳ網発信−ＩＰ網着信方向の接続の場合には、ＭＧ制御は着側制御を行うＭＧＣＦ４２側に配置される。【００６６】
以降、ＩＰ網側発信−ＣＳ網側着信方向の接続の場合を例に詳細を説明する。【００６７】
発着分離モデルのＭＧＣＦを用いた場合、図１４に示すように、振り分け部２１でＭＧＣＦ２２−０に振り分けられたセッション開始メッセージ（ＩＮＶＩＴＥ）はＭＧＣＦ２２−０内の発側ＭＧＣＦのＳＩＧとシナリオと着側のＳＩＧとシナリオを経由して接続要求メッセージ（ＩＡＭ）に変換され、振り分け部２３を通してＣＳ網１２に送信される。【００６８】
そして、ＣＳ網１２から返信されるＩＡＭ応答メッセージ（ＩＡＡ）の指示する回線がＩＡＭを送信した要求元のＭＧＣＦ２２−０と同一であれば、図１４の上段に示すように、ＩＡＭ応答メッセージ（ＩＡＡ）はＭＧＣＦ２２−０の着側ＭＧＣＦのＳＩＧとシナリオと発側のＳＩＧとシナリオを経由して変換され、振り分け部２１に送信される。【００６９】
これに対し、ＣＳ網１２から返信されるＩＡＭ応答メッセージ（ＩＡＡ）の指示する回線がＩＡＭを送信した要求元のＭＧＣＦ２２−０と異なるＭＧＣＦ（例えば２２−１）であれば、図１４の下段に示すように、ＩＡＭ応答メッセージ（ＩＡＡ）はＭＧＣＦ２２−０の着側ＭＧＣＦのＳＩＧとシナリオからＭＧＣＦ２２−１の着側ＭＧＣＦのＳＩＧとシナリオを通り、ＭＧＣＦ２２−０の発側ＭＧＣＦのＳＩＧとシナリオを経由して変換され、振り分け部２１に送信される。【００７０】
図１５は、本発明のメディアゲイトウェイ装置の第４実施形態の動作説明図を示す。【００７１】
ステップＳ４１：ＩＰ網１１から発信しＣＳ網１２で着信するセッション開始メッセージ（ＩＮＶＩＴＥ）は、振り分け部２１にて例えば上記メッセージ内の発信局（ＯＰＣ）基づいて決められたＭＧＣＦ２２−０に振り分けられ、ここで接続要求メッセージ（ＩＡＭ）に変換され、ＳＧＣＳ２４宛に送信される。ここでは、ＭＧＣＦ２２−０が選択された例を示している。【００７２】
ステップＳ４２：ＣＳ網１２から返信されるＩＡＭ応答メッセージ（ＩＡＡ）はＳＧＣＳ２４，振り分け部２３経由で、要求元のＭＧＣＦ２２−０にルーティングされる。なお、振り分け部２３ではＩＡＭ応答メッセージ（ＩＡＡ）の発信元ＩＤ（ＳＡＩＤ）からＭＧＣＦ番号を取り出し、取り出したＭＧＣＦ番号で図８（Ａ）に示す振り分けデータを参照して要求元のＭＧＣＦ２２−１のＩＰアドレスを特定する。振り分けデータは振り分けデータ記憶部２３ａに格納されている。【００７３】
ステップＳ４３：ＩＡＭ応答メッセージ（ＩＡＡ）を受けたＭＧＣＦ２２−０は自身が保持するＭＧＣＦ管理データを参照し、どのＭＧＣＦが選択された回線を制御しているか特定する。【００７４】
なお、全てのＭＧＣＦ２２−０〜２２−２は、管理データ記憶部２２ｂに図８（Ｂ）に示すＭＧＣＦ管理データを有しており、ＭＧＣＦ２２−０はＩＡＭ応答メッセージに含まれる発信局（ＯＰＣ）からＴＧＮ（同一対地／ルートの回線（トランク）群に与える番号）を得て、このＴＧＮに対応するＶＸＳＭ番号とＶＰＣＩを得る。このＶＰＣＩから得られるＭＧＣＦ番号（及びそのＭＧＣＦのＩＰアドレス）が実際に制御要求を行うＭＧＣＦを指定している。また、上記ＶＸＳＭ番号がＣＳ網１２側から指定された回線に対応するＶＸＳＭである。【００７５】
ステップＳ４４：先のステップＳ４３で特定したＭＧＣＦ（例えば２２−１）に対してＩＡＭ応答メッセージ（ＩＡＡ）を転送して、ＭＧＣＦ２２−１に対して着信処理要求を行う。この着信処理要求は各ＭＧＣＦ２２−０〜２２−２の制御要求機能２２ａが実行する。【００７６】
ステップＳ４５：上記の着信処理要求を受けたＭＧＣＦ２２−１は指示に従い、該当するＭＧＸ（例えば３１−２）のＶＸＳＭ（例えば３２−１）に回線捕捉コマンド（Ａｄｄ）を送信して、ＣＳ網１２側から指定された回線とＩＰ網１１側との接続制御を行う。【００７７】
図１６は、本発明のメディアゲイトウェイ装置の第４実施形態の動作シーケンスを示す。同図中、ステップ番号は図１５と対応している。図１５ではステップＳ４５の接続制御後、ステップＳ４６でＣＳ網１２からＭＧＣＦ２２−０にアドレス完了メッセージ（ＡＣＭ）を送信すると、このアドレス完了メッセージ（ＡＣＭ）はステップＳ４７でＭＧＣＦ２２−０の着側ＳＩＧとシナリオからＭＧＣＦ２２−１の着側ＳＩＧとシナリオに送信され、更にステップＳ４８でＭＧＣＦ２２−１の着側ＳＩＧとシナリオからＭＧＣＦ２２−０の発側ＳＩＧとシナリオに送信され、ステップＳ４９でＩＰ網１１に対しセッション進捗状況通知メッセージ（１８３  Ｓｅｓｓｉｏｎ  Ｐｒｏｇｒｅｓｓ）が送信される。【００７８】
また、ステップＳ５１でＣＳ網１２からＭＧＣＦ２２−０に呼経過メッセージ（ＣＰＧ）を出した後でリングバックトーン（ＲＢＴ）を送信する。この呼経過メッセージ（ＣＰＧ）はステップＳ５２でＭＧＣＦ２２−０の着側ＳＩＧとシナリオからＭＧＣＦ２２−１の着側ＳＩＧとシナリオに送信され、更にステップＳ５３でＭＧＣＦ２２−１の着側ＳＩＧとシナリオからＭＧＣＦ２２−０の発側ＳＩＧとシナリオに送信され、ステップＳ５４でＩＰ網１１に対しセッション進捗状況通知メッセージ（１８３  Ｓｅｓｓｉｏｎ  Ｐｒｏｇｒｅｓｓ）が送信される。【００７９】
ステップＳ５５でＩＰ網１１からＭＧＣＦ２２−０にセッション終了要求メッセージ（ＢＹＥ）が送信されると、ステップＳ５６でＭＧＣＦ２２−０はＭＧＣＦ２２−１に解放メッセージ（ＲＥＬ）を送信し、ＭＧＣＦ２２−１はステップＳ５７で当該ＭＧＸ３１−２の当該ＶＸＳＭ３２−１にパス切断コマンド（Ｓｕｂｔｒｕｃｔ）を送信してパス切断を行う。また、ＭＧＣＦ２２−１はステップＳ５８でＭＧＣＦ２２−０に解放メッセージ（ＲＥＬ）を送信し、ＭＧＣＦ２２−０はステップＳ５９でＩＰ網１１にリクエスト成功（２００  ＯＫ）を送信し、ステップＳ６０でＣＳ網１２に解放メッセージ（ＲＥＬ）を送信する。【００８０】
この実施形態によれば、接続要求を行ったＭＧＣＦが制御可能な回線以外の回線をＣＳ網から選択するよう要求されたとしても、接続要求を行ったＭＧＣＦはＣＳ網から選択を要求された回線を制御可能な別のＭＧＣＦに接続要求を行うため、呼損の発生を抑圧することができると共に、発着分離を行うことにより各ＭＧＣＦ２２−０〜２２−２の構成を簡単にすることができる。【００８１】
なお、上記実施形態では第２実施形態の制御に発着分離モデルを適用しているが、第１実施形態（又は第３実施形態）の制御に発着分離モデルを適用しても良い。この場合、最初にメッセージを受信したＭＧＣＦが発信処理、親ＭＧＣＦ（又は振り分け部２３からＩＡＭ応答メッセージを返送されるＭＧＣＦ）が着信処理を担当する。【００８２】
なお、上記実施形態では、呼制御手段の一例としてＭＧＣＦ２２−０〜２２−２を用い、相互接続手段の一例としてＶＸＳＭ３２−１〜３２−ｎを用い、管理データ記憶手段の一例として管理データ記憶部２２ｂを用い、制御要求手段の一例として制御要求機能２２ａを用い、回線割付情報記憶手段の一例として回線割付情報記憶部２３ｂを用い、振り分け手段の一例として振り分け部２３を用い、発側処理手段の一例として発側ＭＧＣＦ４２を用い、着側処理手段の一例として着側ＭＧＣＦ４１を用い、変更先記憶手段の一例として変更先記憶部２３ｃを用い、振り分けデータ記憶手段の一例として振り分けデータ記憶部２３ａを用いている。
【図１】
2009028094.tif 000003
【図２】
2009028094.tif 000004
【図３】
2009028094.tif 000005
【図４】
2009028094.tif 000006
【図５】
2009028094.tif 000007
【図６】
2009028094.tif 000008
【図７】
2009028094.tif 000009
【図８】
2009028094.tif 000010
【図９】
2009028094.tif 000011
【図１０】
2009028094.tif 000012
【図１１】
2009028094.tif 000013
【図１２】
2009028094.tif 000014
【図１３】
2009028094.tif 000015
【図１４】
2009028094.tif 000016
【図１５】
2009028094.tif 000017
【図１６】
2009028094.tif 000018
【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
インターネット網と公衆網間の呼制御を行う複数の呼制御手段と、前記インターネット網と公衆網間のユーザデータの回線接続及びメディア変換を行う複数の相互接続手段を有し、インターネット網と公衆網間の相互接続を行うメディアゲイトウェイ装置において、
前記複数の相互接続手段の回線接続制御を行う特定の呼制御手段を設定し、
前記特定の呼制御手段に前記複数の相互接続手段の回線接続制御を要求する前記特定の呼制御手段を除く複数の呼制御手段を有し、
前記特定の呼制御手段は、前記公衆網のどの回線を前記複数の相互接続手段のどの相互接続手段が制御しているかを識別する管理データを記憶した管理データ記憶手段を有し、
前記特定の呼制御手段を除く複数の呼制御手段それぞれは、前記特定の呼制御手段に前記複数の相互接続手段の回線接続制御を要求する制御要求手段を有する
ことを特徴とするメディアゲイトウェイ装置。
【請求項２】
インターネット網と公衆網間の呼制御を行う複数の呼制御手段と、前記インターネット網と公衆網間のユーザデータの回線接続及びメディア変換を行う複数の相互接続手段を有し、インターネット網と公衆網間の相互接続を行うメディアゲイトウェイ装置において、
前記複数の呼制御手段は、前記公衆網のどの回線を前記複数の相互接続手段のどの相互接続手段が制御しているかを識別する管理データを記憶した管理データ記憶手段と、
前記公衆網から接続を指示された回線を、どの呼制御手段が制御しているかを前記管理データ記憶手段から検索し、検索した呼制御手段に前記相互接続手段の回線接続制御を要求する制御要求手段を
有することを特徴とするメディアゲイトウェイ装置。
【請求項３】
インターネット網と公衆網間の呼制御を行う複数の呼制御手段と、前記インターネット網と公衆網間のユーザデータの回線接続及びメディア変換を行う複数の相互接続手段を有し、インターネット網と公衆網間の相互接続を行うメディアゲイトウェイ装置において、
前記公衆網のどの回線を前記複数の相互接続手段のどの相互接続手段が制御しているかを示す回線割付情報を記憶する回線割付情報記憶手段と、
前記公衆網からの回線接続を指示するメッセージを前記回線割付情報に基づいて呼制御手段に振り分ける振り分け手段を有し、
前記公衆網からの回線接続を指示するメッセージを前記振り分け手段から供給された呼制御手段で前記相互接続手段の回線接続制御を行う
ことを特徴とするメディアゲイトウェイ装置。
【請求項４】
請求項１乃至３のいずれか１項記載のメディアゲイトウェイ装置において、
前記複数の呼制御手段それぞれは、前記インターネット網からの発信処理を行う発側処理手段と、前記公衆網からの着信処理及び前記相互接続手段の回線制御を行う着側制御手段に分離された
ことを特徴とするメディアゲイトウェイ装置。
【請求項５】
請求項３記載のメディアゲイトウェイ装置において、
前記振り分け手段で前記公衆網からの回線接続を指示するメッセージを振り分けた呼制御手段が、前記メッセージの元となる前記インターネット網からのメッセージを最初に送信した呼制御手段と異なるとき、前記振り分け手段で前記公衆網からの回線接続を指示するメッセージを振り分けた呼制御手段の情報を変更先として記憶する変更先記憶手段を
有することを特徴とするメディアゲイトウェイ装置。
【請求項６】
請求項５記載のメディアゲイトウェイ装置において、
前記公衆網からの回線接続を指示するメッセージの発信元識別子と対応する呼制御手段を振り分けデータとして記憶した振り分けデータ記憶手段を有し、
前記振り分けデータ記憶手段を用いて、前記メッセージの元となる前記インターネット網からのメッセージを最初に送信した呼制御手段を検索する
ことを特徴とするメディアゲイトウェイ装置。
【国際調査報告】
2009028094.tif 000019
2009028094.tif 000020
2009028094.tif 000021
2009028094.tif 000022